(57)【要約】【課題】アダプタの着脱をすることなく、異なった大きさの櫛歯を使用することのできるビューラーヘッドを実現する。【解決手段】１のビューラーヘッドの両面に異なる大きさの櫛状形状のコーム部を設けた。すなわち、中心部材の一の面に多くの量の電熱線により形成される大加熱部を設け、他の面に少ない量の電熱線により形成される小加熱部を設ける。大加熱部上に大コーム部、小加熱部上に小コーム部を設ける。各コーム部は、加熱部を露出させる孔と、この周囲の枠状部と、この孔の両端の枠状部に結合して孔上に突出し、互いに間隔を隔てて多数設けられる櫛歯片からなる。この間隔は、大コーム部では大きく、小コーム部では小さく設定される。【選択図】図４
2006246945.tif 000002
【特許請求の範囲】
【請求項１】
細長形状の中心部材と、この中心部材の一の面に設けられる電熱線により形成される大加熱部と、前記中心部材の前記一の面に対向する他の面に設けられ、前記面の電熱線より少ない量の電熱線により形成される小加熱部と、前記大加熱部を覆うように設けられる大コーム部と、前記小加熱部を覆うように設けられる小コーム部とからなり、この大コーム部は、前記大加熱部を露出させる孔を中央に有し、周囲に枠状部を有し、前記孔の両端の枠状部に結合して孔上に突出し、互いに間隔を隔てて多数設けられる櫛歯片からなり、前記小コーム部は、前記小加熱部を露出させる孔を中央に有し、周囲に枠状部を有し、前記孔の両端の枠状部に結合して孔上に突出し、互いに、前記大コーム部の櫛歯片の間隔より小さな間隔を隔てて多数設けられる櫛歯片からなることを特徴とする電熱式ビューラーヘッド。
【請求項２】
請求項１において、
中心部材が、板状となり、電熱線の一部又は全部がこの中心部材表面から突出する支持片に支持されていることを特徴とする電熱式ビューラーヘッド。
【発明の詳細な説明】
【技術分野】
【０００１】
本発明は、電熱線により睫毛を加熱しながら成形するビューラーのビューラーヘッドに関する。
【背景技術】
【０００２】
近年、電熱線により睫毛を加熱しながら成形するビューラーが多く使用されるようになってきた。このビューラーで、睫毛を成形するビューラーヘッドは、櫛状形状のものが多い。この櫛歯の望ましい大きさは、使用する睫毛の部位、使用者の好み等により異なるものであるが、通常、ビューラーには１のヘッドしか用意されていないので、使用者によっては大いに不満である。この対策として、１のビューラーヘッドに、櫛状形状のアダプタを着脱自在に設けて２以上の大きさの櫛歯を選択できるようにしたものが案出されている（特許文献１）。
【０００３】
しかし、この着脱式のものでは、ヘッドに内蔵した電熱線から睫毛までの距離が大きくなって、加熱が不十分になりやすく、また、使用時にアダプタをなくしたり、着脱時にアダプタに付着したマスカラで手を汚したりする、という不都合がある。
【特許文献１】特開２００３−３１０３３６号公報
【発明の開示】
【発明が解決しようとする課題】
【０００４】
そこで本発明は、アダプタの着脱をすることなく、異なった大きさの櫛歯を使用することのできるビューラーヘッドを実現することを目的としたものである。
【課題を解決するための手段】
【０００５】
本発明は、１のビューラーヘッドの両面に異なる大きさの櫛状形状のコーム部を設けたものである。
【０００６】
すなわち、本発明は、細長形状の中心部材と、この中心部材の一の面に設けられる電熱線により形成される大加熱部と、前記中心部材の前記一の面に対向する他の面に設けられ、前記面の電熱線より少ない量の電熱線により形成される小加熱部と、前記大加熱部を覆うように設けられる大コーム部と、前記小加熱部を覆うように設けられる小コーム部とからなり、この大コーム部は、前記大加熱部を露出させる孔を中央に有し、周囲に枠状部を有し、前記孔の両端の枠状部に結合して孔上に突出し、互いに間隔を隔てて多数設けられる櫛歯片からなり、前記小コーム部は、前記小加熱部を露出させる孔を中央に有し、周囲に枠状部を有し、前記孔の両端の枠状部に結合して孔上に突出し、互いに、前記大コーム部の櫛歯片の間隔より小さな間隔を隔てて多数設けられる櫛歯片からなることを特徴とする電熱式ビューラーヘッドである。
【０００７】
また本発明は、前記ビューラーにおいて、中心部材が、板状となり、電熱線の一部又は全部がこの中心部材表面から突出する支持片に支持されていることを特徴とする電熱式ビューラーヘッドを包含する。
【発明の効果】
【０００８】
本発明のビューラーヘッドは、２の異なるコーム部を有するから、これらを使い分けることにより、使用部位、使用者の好みに対応することができる。しかも、大コーム部には多くの電熱線が、小コーム部には少ない電熱線が設けられているため、コーム部の大きさに合せて加熱量も異なるものとなり、より使いやすくなっている。すなわち、例えば、下睫毛や上睫毛の根元部分では、より強く曲げることが必要であるから、大コーム部を使用し、強く過熱しながら成形することができ、上睫毛の先端部分では、少量の睫毛を長く伸ばすように成形するので、小コーム部で弱く加熱しながら使用することができる。勿論、着脱操作は不要であるので、取扱いは容易となり、従来のようなアダプタの紛失や手を汚すこともなくなる。
【０００９】
特に中心部材を板状として、電熱線を支持片で支持する構成とすると、電熱線が中心部材からより高く配置され、睫毛に接触しやすくなり、併せて、熱が中心部材に逃げることが少なくなるので、睫毛の加熱がより効率的になる。
【実施例】
【００１０】
以下、本発明を図示する実施例について具体的に説明する。
【００１１】
このビューラーヘッド１０において、中心部材１１は、細長板状となっている。大加熱部１２が、この中心部材１０の表面に設けられている。この大加熱部１２は、電熱線１３が３本平行して並ぶよう配設してなる。この電熱線１３は、ニクロム線からなり、１本のニクロム線がそのまま剥き出しになった細部１３ａと、ニクロム線をコイル状に巻いてパイプに納めた太部１３ｂからなり、この大加熱部１２は、２の太部１３ｂと１の細部１３ａからなる。この大加熱部１２の細部１３ａは、中心部材に突設された支持片１４，…により中心部材１１表面から高く離れて支持されている。小加熱部１５が、中心部材１０の裏面に設けられている。この小加熱部１５は、電熱線１３の太部１３ｂが１本だけ延びる構成よりなる。
【００１２】
大コーム部１６は、中心部材１１の表面側に、大加熱部１２を覆うように設けられ、孔１７、枠状部１８、櫛歯片１９，…よりなる。孔１７は中央に位置して、大加熱部１２を露出させ、睫毛に直接接するようにしている。枠状部１８は大加熱部１２の周囲を巡るように位置している。櫛歯片１９，…は、薄板状であり、孔１７の両端の枠状部１８に結合して孔１７上に突出し、互いに間隔２０．…を隔てて多数設けられる。
【００１３】
小コーム部２１は、中心部材１１の裏面側に、小加熱部１５を覆うように設けられ、孔２２、枠状部２３、櫛歯片２４，…よりなる。孔２２は中央に位置して、小加熱部１５を露出させ、睫毛に直接接するようにしている。枠状部２３は小加熱部１５の周囲を巡るように位置している。櫛歯片２４，…は、薄板状であり、孔２２の両端の枠状部２３に結合して孔２２上に突出し、互いに間隔２５．…を隔てて多数設けられる。この間隔２５，…は、大コーム部１６の間隔２０，…より小さく設定されている。さらに、櫛歯片２４，…の形状は、幅広のものと幅狭のものが交互に並ぶよう配置されている。
【００１４】
上記例では、大加熱部，小加熱部の電熱線が３本対１本という比率にに設定しているが、他の比率とすることも可能であることはいうまでもない。また、大コーム部、小コーム部の形状も、他のものにすることもできることは当然である。加熱部、コーム部共に、要は、大小異なる形状であればよい。
【図面の簡単な説明】
【００１５】
【図１】本発明の一実施例の大コーム部側を表した正面図である。
【図２】同例の小コーム部側を表した背面図である。
【図３】同例の平面図である。
【図４】同例の大コーム部側を上方に向けた斜視図である。
【図５】同例の小コーム部側を上方に向けた斜視図である。
【図６】同例の中心部材と大加熱部を取出して表した斜視図である。
【図７】同例の中心部材と小加熱部を取出して表した斜視図である。
【符号の説明】
【００１６】
１０            ビューラーヘッド
１１            中心部材
１２            大加熱部
１３            電熱線
１３ａ          細部
１３ｂ          太部
１４，…        支持片
１５            小加熱部
１６            大コーム部
１７            孔
１８            枠状部
１９，…        櫛歯片
２０，…        間隔
２１            小コーム部
２２            孔
２３            枠状部
２４，…        櫛歯片
２５，…        間隔
【図１】
2006246945.tif 000003
【図２】
2006246945.tif 000004
【図３】
2006246945.tif 000005
【図４】
2006246945.tif 000006
【図５】
2006246945.tif 000007
【図６】
2006246945.tif 000008
【図７】
2006246945.tif 000009